(57)【要約】【課題】既存の設備の変更がなく、且つ家庭用薄葉紙を取り出す際のトラブルを低減した家庭用薄葉紙収納箱を提供する。【解決手段】積層された家庭用薄葉紙２…が内部に収納され、スリット３１を有するフィルム３が上面に設けられた取出口１１を被覆するように、内側の面に貼着され、前記スリットを通して内部の家庭用薄葉紙を取り出すことができる家庭用薄葉紙収納箱１において、前記スリットの長手方向の延長線およびその周囲の前記フィルム端部には、前記内面に貼着されていない非貼着部３２が設けられており、前記フィルムの貼着部外周長さに対する前記非貼着部の割合が２７〜４５％であり、収納される家庭用薄葉紙の初期充填率が５０〜５６％である。【選択図】  図２
2004217296.tif 000002
【特許請求の範囲】
【請求項１】
積層された家庭用薄葉紙が内部に収納され、上面に設けられた取出口を被覆するように、スリットを有するフィルムが内側の面に貼着され、前記スリットを通して内部の家庭用薄葉紙を取り出すことができる家庭用薄葉紙収納箱において、
前記スリットの長手方向の延長線およびその周囲の前記フィルム端部には、前記収納箱に貼着されていない非貼着部が設けられており、
前記フィルムの貼着部外周長さに対する前記非貼着部の割合が２７〜４５％であることを特徴とする家庭用薄葉紙収納箱。
【請求項２】
請求項１記載の家庭用薄葉紙収納箱において、
収納される家庭用薄葉紙の初期充填率が５０〜５６％であることを特徴とする家庭用薄葉紙収納箱。
【請求項３】
請求項１又は２記載の家庭用薄葉紙収納箱において、
前記家庭用薄葉紙のシートの折り畳み軸方向の長さが２００〜２３０ｍｍであることを特徴とする家庭用薄葉紙収納箱。
【請求項４】
請求項１〜３の何れか一項に記載の家庭用薄葉紙収納箱において、
前記スリットは、当該家庭用薄葉紙収納箱を展開したときの長手方向に対して垂直な方向に設けられ、
収納される家庭用薄葉紙の長手方向と前記スリットの長手方向とが直交していることを特徴とする家庭用薄葉紙収納箱。
【請求項５】
請求項４記載の家庭用薄葉紙収納箱において、
積層された家庭用薄葉紙の束は、二つ折りされた状態で家庭用薄葉紙収納箱に収納されていることを特徴とする家庭用薄葉紙収納箱。
【請求項６】
請求項１〜５の何れか一項に記載の箱入り家庭用薄葉紙収納箱を製造するにあたり、
家庭用薄葉紙収納箱基材における、組立後に前記上面となる面に設けられた前記取出口を被覆する前記フィルムを、貼着部外周の長さに対する前記非貼着部の割合が２７〜４５％となるように、内側の面に貼着するフィルム貼着工程と、
前記家庭用薄葉紙収納箱基材を家庭用薄葉紙収納箱に組み立てる組立工程と、
前記家庭用薄葉紙の長手方向と前記スリットの長手方向とが直交するように前記家庭用薄葉紙を初期充填率５０〜５６％で前記家庭用薄葉紙収納箱に充填する充填工程と、を備え、
前記フィルム貼着工程において、前記スリットが前記家庭用薄葉紙収納箱基材の長手方向に対して垂直な方向となるように、前記フィルムを前記家庭用薄葉紙収納箱基材に貼着することを特徴とする家庭用薄葉紙収納箱の製造方法。
【発明の詳細な説明】
【０００１】
【発明の属する技術分野】
本発明は、ティシューペーパー等の家庭用薄葉紙収納箱およびその製造方法に関するものである。
【０００２】
【従来の技術】
従来、家庭用薄葉紙の一つであるティシューペーパーを収納するティシューペーパー収納箱（以下、収納箱という。）には、収納箱の上面にティシューペーパーを取り出すための取出口が設けられている。通常、最初の使用時に、収納箱の上面に設けられたループ状のミシン目に沿って収納箱の一部を切り取ると、取出口が露出するようになっている（例えば、特許文献１など）。
【０００３】
この取出口には、プラスチック製のフィルムが貼着され、取出口の全体を被覆している。このフィルムの中央部には直線状のスリットが設けられており、中身のティシューペーパーは、このスリットを通して外部へ引き出される。収納箱内部のティシューペーパーは２枚１組とされ、１組１組が継続して箱から取り出せるように交互に折り重ねられており、スリット６に保持されているティシューペーパー１組を外へ引き出したときに、次のティシューペーパー１組が収納箱１の内部からスリット６に保持される位置まで引き出される折り方となっている。即ち、フィルム５とスリット６は次のティシューペーパーを所定の位置に保持する役割も果たしている。
【０００４】
しかし、このような収納箱１からティシューペーパーを引き出す時に、ティシューペーパーが破れる問題がある。
このような問題を解決するため、特許文献１記載の発明のように、スリットの両端部に開口部を設けるか、或いは直線状のスリット端点を起点として分岐したスリットを設けるようにしたものがある。
【０００５】
【特許文献１】
特開平１１−１３０１６７号公報
【０００６】
【発明が解決しようとする課題】
しかしながら、上記特許文献１記載の発明のように、スリットの両端部に開口部を設けたり、直線状のスリット端点を起点として分岐したスリットを設ける場合には、製造時におけるスリット形成工程が従来の工程と異なるため、既存の設備の改造が必要となる。
【０００７】
本発明の課題は、既存の設備の変更がなく、且つ家庭用薄葉紙を取り出す際のトラブルを低減した家庭用薄葉紙収納箱を提供することである。
【０００８】
【課題を解決するための手段】
本課題を解決するため、本発明者が鋭意研究を重ねた結果、設備変更することなく、直線的なスリットのみで、家庭用薄葉紙を引き出す際のトラブルを低減した家庭用薄葉紙収納箱を開発するに至った。
【０００９】
請求項１記載の発明は、例えば、図１〜４に示すように、積層された家庭用薄葉紙２…が内部に収納され、上面に設けられた取出口１１を被覆するように、スリット３１を有するフィルム３が内側の面に貼着され、前記スリットを通して内部の家庭用薄葉紙を取り出すことができる家庭用薄葉紙収納箱１において、
前記スリットの長手方向の延長線およびその周囲の前記フィルム端部には、前記内面に貼着されていない非貼着部３２が設けられており、
前記フィルムの貼着部外周長さに対する前記非貼着部の割合が２７〜４５％であることを特徴とする。
【００１０】
請求項１記載の発明によれば、フィルムの貼着部外周長さに対する非貼着部の割合が２７〜４５％であるため、取り出し抵抗が軽減されることとなって、設備変更することなく、家庭用薄葉紙を取り出す際のトラブルを低減させることができる。
【００１１】
請求項２記載の発明は、請求項１記載の家庭用薄葉紙収納箱において、
収納される家庭用薄葉紙の初期充填率が５０〜５６％であることを特徴とする。
【００１２】
請求項２記載の発明によれば、収納される家庭用薄葉紙の初期充填率が５０〜５６％であるので、請求項１記載の発明と同様の効果が得られる。
【００１３】
請求項３記載の発明は、前記家庭用薄葉紙のシートの折り畳み軸方向の長さが２００〜２３０ｍｍであることを特徴とする。
【００１４】
請求項３記載の発明によれば、家庭用薄葉紙のシートの折り畳み軸方向の長さが２００〜２３０ｍｍとされているので、ユーザの使い勝手を損なわず、家庭用薄葉紙を取り出す際のトラブルを低減させることができる。
【００１５】
請求項４記載の発明は、請求項１〜３の何れか一項に記載の家庭用薄葉紙収納箱において、
前記スリットは、当該家庭用薄葉紙収納箱を展開したときの長手方向に対して垂直な方向に設けられ、
収納される家庭用薄葉紙の長手方向と前記スリットの長手方向とが直交していることを特徴とする。
【００１６】
請求項４記載の発明によれば、請求項１〜３の何れか一項に記載の発明と同様の効果が得られることは無論のこと、特に、スリットは、当該家庭用薄葉紙収納箱を展開したときの長手方向に垂直な方向に設けられ、収納される家庭用薄葉紙の長手方向と前記スリットの長手方向とが直交しているので、フィルムの貼着がより効率的になって、生産性を向上させることができる。
【００１７】
請求項５記載の発明は、請求項４記載の家庭用薄葉紙収納箱において、
積層された家庭用薄葉紙束は、二つ折りされた状態で家庭用薄葉紙収納箱に収納されていることを特徴とする。
【００１８】
請求項５記載の発明によれば、積層された家庭用薄葉紙束は、二つ折りされた状態で家庭用薄葉紙収納箱に収納されるタイプのものであっても、請求項４記載の発明と同様の効果が得られる。
【００１９】
請求項６記載の発明は、家庭用薄葉紙収納箱の製造方法において、請求項１〜５の何れか一項に記載の家庭用薄葉紙収納箱を製造するにあたり、
家庭用薄葉紙収納箱基材における、組立後に前記上面となる面に設けられた前記取出口を被覆する前記フィルムを、前記フィルムの貼着部外周長さに対する前記非貼着部の割合が２７〜４５％となるように、内側の面に貼着するフィルム貼着工程と、
前記家庭用薄葉紙収納箱基材を家庭用薄葉紙収納箱に組み立てる組立工程と、
前記家庭用薄葉紙の長手方向と前記スリットの長手方向とが直交するように前記家庭用薄葉紙を初期充填率５０〜５６％で前記家庭用薄葉紙収納箱に充填する充填工程と、を備え、
前記フィルム貼着工程において、前記スリットが前記家庭用薄葉紙収納箱基材の長手方向に対して垂直な方向となるように、前記フィルムを前記家庭用薄葉紙収納箱基材に貼着することを特徴とする。
【００２０】
請求項６記載の発明によれば、家庭用薄葉紙収納箱基材における、組立後に上面となる面に設けられた取出口を被覆するフィルムが、フィルムの貼着部外周長さに対する非貼着部の割合が２７〜４５％となるように内側の面に貼着される。このとき、スリットが家庭用薄葉紙収納箱基材の長手方向に対して垂直な方向となるように、フィルムが家庭用薄葉紙収納箱基材に貼着される。次いで、家庭用薄葉紙収納箱基材が家庭用薄葉紙収納箱に組み立てられ、家庭用薄葉紙の長手方向とスリットの長手方向とが直交するように家庭用薄葉紙が初期充填率５０〜５６％で家庭用薄葉紙収納箱に充填される。
従って、設備変更することなく、家庭用薄葉紙を取り出す際のトラブルを低減させることができる家庭用薄葉紙収納箱を製造することができる。
【００２１】
また、フィルム貼着工程において、スリットが家庭用薄葉紙収納箱基材の長手方向に対して垂直な方向となるように、フィルムが家庭用薄葉紙収納箱基材に貼着されるので、家庭用薄葉紙収納箱基材へフィルムを貼着する作業が効率化され、生産性を向上させることができる。
【００２２】
【発明の実施の形態】
以下、図を参照して本発明に係る家庭用薄葉紙収納箱の実施の形態をティシューペーパー収納箱により説明する。
図１は、ティシューペーパー収納箱の構造を示す分解斜視図である。
【００２３】
図１に示すティシューペーパー収納箱（以下、収納箱という。）１は、例えば、１辺が９０〜１３０ｍｍ、高さが８０〜１５０ｍｍの略キュービック型の収納箱であり、この収納箱１内にティシューペーパー２…が積層されて収納される。
【００２４】
収納箱１は、収納箱１の上面にティシューペーパー２…を取り出すための取出口１１が設けられている。通常、最初の使用時に、収納箱１の上面に設けられたループ状のミシン目に沿って収納箱１の一部（蓋部１２）を切り、残ったミシン目に沿って折り曲げると、取出口１１が露出するようになっている。
この取出口１１には、収納箱１の内側の面に１辺が９０〜１３０ｍｍの大きさのポリエチレン、ポリプロピレン、ポリ塩化ビニル、ポリエステル、ポリビニールアルコールなどのプラスチック製のフィルム３が貼着され、このフィルム３は取出口１１の全体を被覆している。
【００２５】
収納箱１内部のティシューペーパー２…は、このフィルム３により外部のチリや埃から守られ衛生的に保たれる。また、このフィルム３の中央部には直線状のスリット３１が設けられており、中身のティシューペーパー２は、このスリット３１を通して外部へ引き出すことができるようになっている。
なお、スリット３１の長さは、ティシューペーパー２を取り出しやすいようスリット直線上の取出口１１の長さの８０〜１２０％に設定する。また、取出口１１のスリット直線上の長さは収納箱１の一辺の長さに対し、６０〜９０％になっている。
【００２６】
フィルム３は、図２に示すように、略矩形で４辺がスリット３１の両端延長線上及びその周辺部分を除いて収納箱１の裏面に貼着されている。即ち、スリット３１の両端延長線上及びその周辺部分には、貼着されていない部分である非貼着部３２が設けられている。
【００２７】
フィルム３の貼着部３３の外周長さに対する非貼着部３２の割合は、２７〜４５％とされている。
下限を２７％としたのは、これを下回ると貼着部３３に拘束されて取り出し抵抗が高くなり過ぎるからであり、上限を４５％としたのは、これを超えると非貼着部３２が大きすぎてスリット位置が安定せず、スリット３１から出たティシューペーパー２の見た目が悪いとともに、ホールド性に劣るためティシューが収納箱１内に落ち込み易いからである。
【００２８】
また、図２の展開図に示すように、収納箱１は、展開すると、側面−上面−側面−底面が一列となり、フィルム４のスリット４１は、展開された収納箱１の長手方向に対して垂直な方向に設けられている。
ティシューペーパー２の大きさは、シートの折り畳み軸方向の長さが２００〜２３０ｍｍ、軸方向に対し垂直方向の長さが１８０〜２３０ｍｍの範囲とされている。
【００２９】
ここで、シートの折り畳み軸方向の長さの下限を２００ｍｍとしたのは、これを下回るとユーザの使い勝手が悪くなるからである。即ち、取り出し抵抗を下げるためには、ティシューペーパー１枚当たりの大きさは小さい方が好ましい。一方、ユーザの立場からすれば、小さいと使い勝手が悪くなるので、なるべくティシューペーパー１枚当たりの大きさは大きい方が好ましい。このような相反する事情を鑑み、極力ティシューペーパー１枚当たりの大きさを減らさないようにした結果、かかる下限値を規定するに至った。また、後述するように、２００ｍｍを下回ると、ティシューペーパーを取り出す際の取り出し抵抗の減少率が臨界域に達し、サイズの減少による効果が小さく、その意味においても２００ｍｍが下限値である。
【００３０】
また、シートの折り畳み軸方向長さの上限を２３０ｍｍとしたのは、これを超えると取り出し抵抗が高くなって、使い初めの段階での取り出しトラブルが発生する可能性が高まるからである。なお、シートの折り畳み軸方向長さの最も好ましい範囲は２１０〜２２０ｍｍである。この範囲では、充填率を適度に維持しつつ、使い初めの取り出しトラブル発生の可能性をより早い段階で軽減することができるからである。
【００３１】
このティシューペーパー２…は、２枚が１組とされ、１組１組が継続して箱から取り出せるように交互に折り重ねられており、スリット３１に保持されているティシューペーパー１組を外へ引き出したときに、次のティシューペーパー１組が収納箱１の内部からスリット３１に保持される位置まで引き出される折り方となっている。
【００３２】
また、積層されたティシューペーパー２…の束２ａは、幅方向に沿って二つ折りにされた状態で収納箱１内に収納されている。そして、初期段階におけるティシューペーパー２…の充填率は、５０〜５６％とされている。
ここで、初期段階におけるティシューペーパー２…の充填率の下限を５０％としたのは、これを下回るとティシューペーパー２…の枚数が減るか、或いはティシューペーパー１枚当たりの大きさが小さくなってしまうからである。即ち、取り出し抵抗を下げるためには、初期段階におけるティシューペーパー２…の充填率は低い方が好ましい。一方、充填率を低くするため、収納箱１の大きさを大きくしたのでは嵩張るため商品価値が低くなる。よって、収納箱１を大きくせず、取り出し抵抗を小さくしようとした結果、かかる下限値を規定するに至った。
【００３３】
また、初期段階におけるティシューペーパー２…の充填率の上限を５６％としたのは、これを超えると取り出し抵抗が高くなって、使い初めの段階での取り出しトラブルが発生する可能性が高まるからである。なお、初期段階におけるティシューペーパー２…の充填率の上限を５３％とするとより好ましい。充填率がより低くなるため、使い初めの取り出しトラブル発生の可能性をより早い段階で軽減することができるからである。
【００３４】
次に、上記したティシューペーパー収納箱の製造方法について説明する。
まず、図２に示すようなティシューペーパー収納箱基材１ａを製造する。このとき、組立後上面となる面に、取出口１１を形成するためのミシン目を入れる。
次いで、ティシューペーパー収納箱基材１１ａにおいて、組立後上面となる面に設けられた取出口１１を被覆するフィルム３を貼着する（フィルム貼着工程）。
かかるフィルム３には予めスリット３１が設けられ、このスリット３１がティシューペーパー収納箱基材１ａの長手方向に対して垂直な方向となるように、フィルム３をティシューペーパー収納箱基材１ａに貼着する。また、フィルム３の端部には、ティシューペーパー収納箱基材１ａに貼着されない非貼着部３２が設けられ、貼着部３３の外周長さに対する非貼着部３２の割合が２７〜４５％となるように、内側の面に貼着する。
【００３５】
次いで、図１に示すように、ティシューペーパー収納箱基材１ａを、一側面のみ開くようにして収納箱１に組み立てる（組立工程）。
次いで、開放面から、ティシューペーパー２…の長手方向とスリット３１の長手方向とが直交するようにティシューペーパー２…を初期充填率５０〜５６％で収納箱１に充填し（充填工程）、開放面を閉じる。
【００３６】
以上説明した本発明にかかるティシューペーパー収納箱およびその製造方法によれば、フィルム３の貼着部３３の外周長さに対する非貼着部３２の割合が２７〜４５％であり、収納されるティシューペーパー２…の初期充填率が５０〜５６％であるので、取り出し抵抗が軽減されることとなって、設備変更することなく、ティシューペーパー２…を取り出す際のトラブルを低減させることができる。
【００３７】
また、ティシューペーパー２…のシートの折り畳み軸方向の長さが２００〜２３０ｍｍとされているので、ユーザの使い勝手を損なわず、ティシューペーパー２…を取り出す際のトラブルを低減させることができる。
更に、スリット３１は、当該ティシューペーパー収納箱１を展開したときの長手方向に垂直な方向に設けられ、収納されるティシューペーパー２…の長手方向とスリット３１の長手方向とが直交しているので、フィルム３の貼着がより効率的になって、生産性を向上させることができる。
【００３８】
また、ティシューペーパー収納箱基材１ａにおける、組立後に上面となる面に設けられた取出口を被覆するフィルム３の貼着部３３の外周長さに対する非貼着部３２の割合が２７〜４５％となるように内側の面に貼着される。このとき、スリット３１がティシューペーパー収納箱基材１ａの長手方向に対して垂直な方向となるように、フィルム３がティシューペーパー収納箱基材１ａに貼着される。次いで、ティシューペーパー収納箱基材１ａがティシューペーパー収納箱１に組み立てられ、ティシューペーパー２…の長手方向とスリット３１の長手方向とが直交するようにティシューペーパー２…が初期充填率５０〜５６％でティシューペーパー収納箱１に充填される。
従って、設備変更することなく、ティシューペーパー２…を取り出す際のトラブルを低減させることができるティシューペーパー収納箱１を製造することができる。
【００３９】
また、フィルム貼着工程において、スリット３１がティシューペーパー収納箱基材１ａの長手方向に対して垂直な方向となるように、フィルム３がティシューペーパー収納箱基材１ａに貼着されるので、家庭用薄葉紙収納箱基材１ａへフィルム３を貼着する作業が効率化され、生産性を向上させることができる。
【００４０】
以上、ティシューペーパーを例にとり説明を行ったが、本発明はこれに限るものではなく、収納する対象が家庭用薄葉紙であれば、ボックス入りトイレットペーパーや、キッチンペーパー、クッキングペーパーなどの収納箱であってもよい。
また、家庭用薄葉紙は、２枚１組に限らず、３枚１組、４枚１組としても良い。
また、積層されたティシューペーパー束２ａは、二つ折りされた状態でティシューペーパー収納箱１に収納されるタイプのもので説明したが、二つ折りにされずそのままティシューペーパー収納箱に収納されるタイプであってもよい。
【００４１】
【実施例】
以下、本発明の実施例及び比較例について説明する。
［実施例１ー１、１−２、比較例１−１、１−２］
（ティシューペーパー収納箱、フィルムの寸法等）
ティシューペーパー収納箱の寸法：１１０×１１０×１２０ｍｍ、フィルムの寸法：１００×１００ｍｍ、スリット長さ：８０ｍｍ、貼着部外周長さ：３６００ｍｍ、非貼着部の長さ：０ｍｍ（比較例１−１）、２０×２ｍｍ（比較例１−２）、５０×２ｍｍ（実施例１−１）、８０×２ｍｍ（実施例１−２）
【００４２】
（ティシューペーパーの寸法等）
寸法：２００×２１０ｍｍ、坪量：１５．５ｇ／ｍ２、枚数：７０Ｗ、ティシューペーパー収納箱への充填率：５０．６％、密度：６２．８ｋｇ／ｍ３、ティシューペーパーの充填方法：積層したティシューペーパーの束を幅方向に沿って二つ折りにし、スリットとティシューペーパーの長手方向とが直交するようにしてティシューペーパー収納箱に充填した。
【００４３】
（取り出し抵抗の測定方法）
電子天秤上に４２７ｇの鉄板を置き、この鉄板にティシューペーパーを収納したティシューペーパー収納箱を接着した。そして、上面よりティシューペーパーを１枚づつ取り出した。このとき、フィルムによる取り出し抵抗（ｇｆ）を電子天秤の値により測定した。測定した結果を表１に示す。
なお、この測定方法において、取り出し抵抗が１００ｇｆ以下であれば、片手で無理なくティシューペーパーを取り出すことができるレベルである。
【００４４】
［実施例２−１、２−２、比較例２−１、２−２］
以下、実施例１と同一部分の記載は省略した。
（ティシューペーパー収納箱、フィルムの寸法等）
非貼着部の長さ：０ｍｍ（比較例２−１）、２０×２ｍｍ（比較例２−２）、５０×２ｍｍ（実施例２−１）、８０×２ｍｍ（実施例２−２）
（ティシューペーパーの寸法等）
寸法：２００×２２０ｍｍ、ティシューペーパー収納箱への充填率：５３％、密度：６５．８ｋｇ／ｍ３
（取り出し抵抗の測定方法）
実施例１と同様の方法により、ティシューペーパーの取り出し抵抗（ｇｆ）を測定した。その測定した結果を表１に示す。
【００４５】
［実施例３−１、３−２、比較例３−１、３−２］
以下、実施例１と同一部分の記載は省略した。
（ティシューペーパー収納箱、フィルムの寸法等）
非貼着部の長さ：０ｍｍ（比較例３−１）、２０×２ｍｍ（比較例３−２）、５０×２ｍｍ（実施例３−１）、８０×２ｍｍ（実施例３−２）
（ティシューペーパーの寸法等）
寸法：２００×２３０ｍｍ、ティシューペーパー収納箱への充填率：５６％、密度：６５．８ｋｇ／ｍ３
（取り出し抵抗の測定方法）
実施例１と同様の方法により、ティシューペーパーの取り出し抵抗（ｇｆ）を測定した。その測定した結果を表１に示す。
【００４６】
［比較例０］
以下、実施例１と同一部分の記載は省略した。
（ティシューペーパー収納箱、フィルムの寸法等）
非貼着部の長さ：０ｍｍ
（ティシューペーパーの寸法等）
寸法：２００×２００ｍｍ、ティシューペーパー収納箱への充填率：４８％、密度：５９．８ｋｇ／ｍ３
（取り出し抵抗の測定方法）
実施例１と同様の方法により、ティシューペーパーの取り出し抵抗（ｇｆ）を測定した。その測定した結果を表１に示す。
【００４７】
【表１】
2004217296.tif 000003
【００４８】
［評価］
（ティシューペーパーのサイズの影響）
表１及び図３に示すように、シートの折り畳み軸方向の長さが２００ｍｍでは、ティシューペーパーを取り出していくと途中から臨界域に達し、取り出し抵抗の差がなくなる。つまり、２００ｍｍより小さくしても取り出し抵抗を減少させる効果は少ない。
【００４９】
（非貼着部の影響）
表１に示すように、非貼着部３２を設けていない場合（比較例０、比較例１−１、比較例２−１、比較例３−１）には、取り出し抵抗が、５枚目の時点でも１００ｇｆを超える。
これに対して、非貼着部３２が５０×２ｍｍを超える場合（実施例１−１、１−２、実施例２−１、２−２、実施例３−１、３−２）、５枚目までには、取り出し抵抗が１００ｇｆを下回り、トラブルが発生することなく、ティシューペーパー２…を取り出すことができる。特に、非貼着部３２が５０×２ｍｍを超える場合、即ち、貼着部３３の外周長さに対する非貼着部３２の割合が４５％以上となると、取り出し抵抗が低くなる。図４に示すように、非貼着部３２が２０×２ｍｍ（１１％）から５０×２ｍｍ（２７％）にかけて、取り出し抵抗が急激に低くなり、５０×２ｍｍ（２７％）を超えるとほぼ一定の値となる。
【００５０】
また、特に、シートの折り畳み軸方向の長さが２１０ｍｍの場合、ティシューペーパー２…の取り出しが２枚目から取り出し抵抗が１００ｇｆを下回ることとなって、更に良好である。
【００５１】
【発明の効果】
請求項１記載の発明によれば、フィルムの貼着部外周長さに対する非貼着部の割合が２７〜４５％であるため、取り出し抵抗が軽減されることとなって、設備変更することなく、家庭用薄葉紙を取り出す際のトラブルを低減させることができる。
【００５２】
請求項２記載の発明によれば、収納される家庭用薄葉紙の初期充填率が５０〜５６％であり、請求項１記載の発明と同様の効果が得られる。
【００５３】
請求項３記載の発明によれば、家庭用薄葉紙のシートの折り畳み軸方向の長さが２００〜２３０ｍｍとされているので、ユーザの使い勝手を損なわず、家庭用薄葉紙を取り出す際のトラブルを低減させることができる。
【００５４】
請求項４記載の発明によれば、請求項１〜３の何れか一項に記載の発明と同様の効果が得られることは無論のこと、特に、スリットは、当該家庭用薄葉紙収納箱を展開したときの長手方向に垂直な方向に設けられ、収納される家庭用薄葉紙の長手方向と前記スリットの長手方向とが直交しているので、フィルムの貼着がより効率的になって、生産性を向上させることができる。
【００５５】
請求項５記載の発明によれば、積層された家庭用薄葉紙束は、二つ折りされた状態で家庭用薄葉紙収納箱に収納されるタイプのものであっても、請求項４記載の発明と同様の効果が得られる。
【００５６】
請求項６記載の発明によれば、家庭用薄葉紙収納箱基材における、組立後に上面となる面に設けられた取出口を被覆するフィルムの貼着部外周長さに対する非貼着部の割合が２７〜４５％となるように内側の面に貼着される。このとき、スリットが家庭用薄葉紙収納箱基材の長手方向に対して垂直な方向となるように、フィルムが家庭用薄葉紙収納箱基材に貼着される。次いで、家庭用薄葉紙収納箱基材が家庭用薄葉紙収納箱に組み立てられ、家庭用薄葉紙の長手方向とスリットの長手方向とが直交するように家庭用薄葉紙が初期充填率５０〜５６％で家庭用薄葉紙収納箱に充填される。
従って、設備変更することなく、家庭用薄葉紙を取り出す際のトラブルを低減させることができる家庭用薄葉紙収納箱を製造することができる。
また、フィルム貼着工程において、スリットが家庭用薄葉紙収納箱基材の長手方向に対して垂直な方向となるように、フィルムが家庭用薄葉紙収納箱基材に貼着されるので、家庭用薄葉紙収納箱基材へフィルムを貼着する作業が効率化され、生産性を向上させることができる。
【図面の簡単な説明】
【図１】本発明の一実施形態を示すティシューペーパー収納箱の分解斜視図である。
【図２】図１のティシューペーパー収納箱を展開して示した展開図である。
【図３】シートサイズの取り出し抵抗への影響を示した図である。
【図４】１枚目の取り出し抵抗に対する非貼着部の影響を示した図である。
【符号の説明】
１    ティシューペーパー収納箱
１ａ  ティシューペーパー収納箱基材
２    ティシューペーパー
２ａ  ティシューペーパーの束
３    フィルム
１１    取出口
３１    スリット
３２    非貼着部
３３    貼着部
【図１】
2004217296.tif 000004
【図２】
2004217296.tif 000005
【図３】
2004217296.tif 000006
【図４】
2004217296.tif 000007